(57)【特許請求の範囲】
【請求項１】
粒状の内容物を収容する有底筒状の容器本体と、
該容器本体にヒンジ部を介して接続されると共に、容器本体の上部開口部を塞ぐ可動蓋と、を備え、
前記可動蓋には、前記ヒンジ部を中心として一方向側に回動させられたときに、前記容器本体に形成された第１取出口に連通する第２取出口が形成され、
前記容器本体と前記可動蓋との間には、前記第１取出口と前記第２取出口とが連通された状態で、前記ヒンジ部を中心として前記可動蓋を他方向側に回動するように付勢して、第１取出口と第２取出口との連通を遮断する弾性部材が設けられ、
前記可動蓋が前記弾性部材によって前記他方向側に回動されて前記第１取出口と前記第２取出口との連通が遮断されたときに、可動蓋に形成された係合部が前記容器本体に形成された被係合部に係合して該可動蓋の回動を規制し、
前記弾性部材は、基端部が前記容器本体に接続されると共に先端部が前記可動蓋に接する自由端とされ、前記一方向側への可動蓋の回動に伴って弾性変形し、先端部を介して可動蓋を前記他方向側に押圧し、
前記弾性部材の先端部は、前記一方向側への可動蓋の回動に伴って該可動蓋に摺接し、
前記可動蓋には、前記第１取出口と前記第２取出口とが連通されるまでの間において、前記一方向側に一定量回動させられたときに前記先端部の摺接を規制する規制部が形成されていることを特徴とする粒状物用容器。
【発明の詳細な説明】
【技術分野】
【０００１】
本発明は、粒状の内容物（タブレット状の清涼菓子等）を収容する粒状物用容器に関するものである。
【背景技術】
【０００２】
この種の容器として、内容物を収容する貯留部と内容物を取り出すための取出部とを有する容器本体と、この容器本体にスライド移動可能に組み合わされ、スライド移動により取出部を開閉する蓋体と、を備えた容器が知られている（特許文献１参照）。
【０００３】
この容器において内容物を取り出す場合には、蓋体を容器本体の貯留部側にスライド移動させて取出部を開放する。これにより、取出部を通じて内容物を取り出すことが可能となる。なお、この際、蓋体の天板の内面に形成されたストッパが容器本体の立壁に接触するので、貯留部が開いてしまうことを抑制することができるようになっている。
また、内容物の取り出し後、保管をする場合には、蓋体を逆方向にスライド移動させて取出部を閉める。
【０００４】
更に、操作性を向上させることを目的とし、ワンタッチで取出口を開閉できるようにした粒状物用容器も知られている（特許文献２参照）。
【先行技術文献】
【特許文献】
【０００５】
【特許文献１】特開２００７−２３８１７６号公報
【特許文献２】特開２００３−３１２７５５号公報
【発明の概要】
【発明が解決しようとする課題】
【０００６】
ところで、上述の特許文献１に記載された従来の容器において、取出部を開閉するには、蓋体を手動によってスライド移動させる必要がある。従って、操作性が悪く改良の余地があった。
また、上述の特許文献２に記載された従来の容器においては、板ばねの弾性変形能について改善の余地があった。
【０００７】
本発明は、このような事情に鑑みてなされたものであって、その目的は、簡単な操作で内容物の取り出し作業を行うことができる使い易い粒状物用容器を提供することである。
【課題を解決するための手段】
【０００８】
上記の目的を達成するために、この発明は以下の手段を提供している。
（１）本発明に係る粒状物用容器は、粒状の内容物を収容する有底筒状の容器本体と、該容器本体にヒンジ部を介して接続されると共に、容器本体の上部開口部を塞ぐ可動蓋と、を備え、前記可動蓋には、前記ヒンジ部を中心として一方向側に回動させられたときに、前記容器本体に形成された第１取出口に連通する第２取出口が形成され、前記容器本体と前記可動蓋との間には、前記第１取出口と前記第２取出口とが連通された状態で、前記ヒンジ部を中心として前記可動蓋を他方向側に回動するように付勢して、第１取出口と第２取出口との連通を遮断する弾性部材が設けられ、前記可動蓋が前記弾性部材によって前記他方向側に回動されて前記第１取出口と前記第２取出口との連通が遮断されたときに、可動蓋に形成された係合部が前記容器本体に形成された被係合部に係合して該可動蓋の回動を規制し、前記弾性部材は、基端部が前記容器本体に接続されると共に先端部が前記可動蓋に接する自由端とされ、前記一方向側への可動蓋の回動に伴って弾性変形し、先端部を介して可動蓋を前記他方向側に押圧し、前記弾性部材の先端部は、前記一方向側への可動蓋の回動に伴って該可動蓋に摺接し、前記可動蓋には、前記第１取出口と前記第２取出口とが連通されるまでの間において、前記一方向側に一定量回動させられたときに前記先端部の摺接を規制する規制部が形成されていることを特徴とする。
【０００９】
本発明に係る粒状物用容器によれば、内容物を取り出す場合、容器本体の上端開口部を塞いでいる可動蓋を、ヒンジ部を中心として一方向側に回動させて第２取出口を容器本体の第１取出口に連通させる。これにより、両取出口を通じて容器本体に収容されている内容物を取り出すことができる。
ところで、内容物の取り出しを行うにあたって可動蓋を一方向側に回動させると、弾性部材が弾性変形して可動蓋を他方向側に付勢しはじめる。そのため、内容物の取り出しが終了した後、可動蓋をフリーな状態にすると、該可動蓋は弾性部材からの付勢力を受けて他方向側に自然に回動して元の状態に戻り、第１取出口と第２取出口との連通が遮断される。
【００１０】
従って、可動蓋を手動で元の位置に戻す操作をなくしたり、或いは、手動による復元操作を軽減したりすることができる。よって、可動蓋を一方向側に回動させるだけの簡単な操作で、内容物の取り出し作業を行うことができる。
【００１１】
また、弾性部材によって可動蓋が他方向側に回動されて第１取出口と第２取出口との連通が遮断された時点で、可動蓋の係合部が容器本体の被係合部に係合するので該可動蓋の回動を規制することができる。従って、容器本体に対して可動蓋を確実に停止させて位置決めさせることができ、可動蓋が他方向側に初期位置を越えるほど過度に回動して容器本体の上部開口部が開放されてしまうことがない。また、弾性部材の弾性特性に影響されることなく、容器本体に対する可動蓋の初期位置を位置決めできるので、弾性部材の選択性を広げることができ設計の自由度を高めることができる。
しかも、係合部及び被係合部が弾性部材には形成されていないので、弾性部材が大きく弾性変形したとしても、係合部が弾性部材の弾性変形に連られて位置変動し難い。そのため、係合部を確実に被係合部に係合させることができ、可動蓋の回動規制の信頼性を高めることができる。加えて、この回動規制を気にすることなく弾性部材を選択できるので、上記設計の自由度の効果を顕著に奏効し易い。
【００１３】
さらに、可動蓋を一方向側に回動させると、基端部が容器本体に接続された片持ち状の弾性部材が固定蓋と可動蓋との間で圧縮されるように弾性変形する。そのため、弾性部材は、先端部を介して可動蓋を確実に他方向側に押圧するので、可動蓋をフリーな状態にしたときに該可動蓋を他方向側に速やかに回動させることができる。
特に、弾性部材を容器本体とは別体ではなく一体的にすることができるので、例えば粒状物用容器の組み立てを行う際、少なくとも容器本体に対して弾性部材を組み付ける必要がなく、効率の良い組み立て作業を行うことができる。また、容器本体と弾性部材との間に組立誤差や不必要な遊び等が生じ難いので、弾性部材の作動の信頼性を高め、容器全体の品質を高めることができる。また、弾性部材の先端部が可動蓋に対して単に接しているだけであるので、可動蓋を容器本体及び弾性部材に対して容易に組み付け易い。
【００１５】
さらに、内容物の取り出しにあたって可動蓋を一方向側に回動させはじめると、弾性部材の先端部が可動蓋の回動に伴って該可動部の表面上を摺接するので弾性部材が容易に変形し易くなり、回動操作初期段階において軽い力で且つ滑らかに可動蓋を回動させることができる。よって、可動蓋の回動操作性を向上することができる。
なお、可動蓋を一定量回動させると、規制部によって弾性部材の先端部の摺接が規制されるので、これ以降、弾性部材の弾性変形量を大きくすることができ、弾性部材を効率良く弾性変形させることができる。
【発明の効果】
【００１６】
本発明に係る粒状物用容器によれば、簡単な操作で内容物の取り出し作業を行うことができ、使い易い容器とすることができる。
【図面の簡単な説明】
【００１７】
【図１】本発明に係る粒状物用容器の実施形態を示す縦断面図である。
【図２】図１に示す粒状物用容器の組み立て前における斜視図である。
【図３】図２に示す粒状物用容器の縦断面図である。
【図４】図３に示す粒状物用容器の上面図である。
【図５】図１に示す状態から可動蓋を回動させて、内容物を取り出している状態を示す図である。
【発明を実施するための形態】
【００１８】
以下、本発明に係る粒状物用容器の実施形態について、図１から図５を参照して説明する。
本実施形態の粒状物用容器１は、図１に示すように、粒状の内容物Ｍを収容する有底筒状の容器本体２と、この容器本体２の上部開口部を塞ぐ可動蓋２１と、を備えている。
【００１９】
なお、本実施形態では、図４に示されるような容器本体２の横断面視四角形状の中心を通る軸を中心軸Ｏといい、この中心軸Ｏに沿って容器本体２から可動蓋２１側に向かう方向を上側、その逆向きを下側とする。また、粒状の内容物Ｍとしては、例えばタブレット状（錠剤状）の清涼菓子や薬剤、サプリメント等の他、丸薬、カプセル剤、粒ガム等である。
【００２０】
容器本体２は、図１から図４に示すように、上下が開口した容器本体部１０と、該容器本体部１０の下部開口部を塞ぐ底蓋１１と、容器本体部１０の上部開口部に固定された固定蓋２０と、を備えている。
容器本体部１０は、横断面視長方形状に形成されている。以下、この長方形状の長辺が延びる方向を前後方向Ｌ１といい、短辺が延びる方向を左右方向Ｌ２という。容器本体部１０は、横断面視で前記長辺をなす一対の長辺周壁部１０Ａと、前記短辺をなす一対の短辺周壁部１０Ｂと、を備えている。
【００２１】
一対の長辺周壁部１０Ａは、一対の短辺周壁部１０Ｂの上端縁よりも上方に突出している。具体的には、前後方向Ｌ１の中間部に位置する頂点部１０ａを頂点として、側面視三角形状に突出している。この際、頂点部１０ａと一方の短辺周壁部１０Ｂの上端縁とを接続する周縁部１０ｂは円弧状に形成され、頂点部１０ａと他方の短辺周壁部１０Ｂの上端縁とを接続する周縁部１０ｃは直線状に形成されている。
【００２２】
底蓋１１は、一方の短辺周壁部１０Ｂの下端縁にヒンジ部１３を介して接続されていると共に、容器本体部１０の下端開口部の内側にアンダーカット嵌合されている。特に、ヒンジ部１３を介して接続されているので、該ヒンジ部１３を中心として底蓋１１を前後方向Ｌ１に回動させることができ、容器本体部１０の下部開口部を開放させて内容物Ｍを充填することが可能とされている。
但し、ヒンジ部１３を介して底蓋１１と容器本体部１０とを一体的に接続する必要はなく、底蓋１１を容器本体部１０から離脱自在な別パーツとしても構わない。
【００２３】
固定蓋２０は、円弧状に形成された上記周縁部１０ｂに沿って滑らかに湾曲形成された板片部材であり、一対の長辺周壁部１０Ａ間に挟まれた状態で固定（容器本体部１０と一体成形）されている。
詳細には、周縁部１０ｂよりも容器内側に位置し、且つ下端縁が一方の短辺周壁部１０Ｂの上端縁よりも下方に位置するように固定されている。そのため、一方の短辺周壁部１０Ｂと固定蓋２０との間には隙間Ｈ（図２から図４参照）が画成されている。
【００２４】
また、固定蓋２０には、内容物Ｍを取り出すための第１取出口２２が形成されている。この第１取出口２２は、例えば側面視四角状に形成された開口であり、一方の短辺周壁部１０Ｂよりも上方に位置している。但し、この第１取出口２２の形状は、内容物Ｍが通過可能であれば円形状でも楕円形状でも多角形状であっても構わない。
【００２５】
上記可動蓋２１は、左右方向Ｌ２に沿った横幅が一対の長辺周壁部１０Ａ間に収まるサイズ（同等のサイズ）とされ、容器本体部１０の他方の短辺周壁部１０Ｂの上端縁にヒンジ部２３を介して接続されていると共に固定蓋２０に対して摺動自在に重ね合わされている。これにより、可動蓋２１は固定蓋２０と協働して容器本体２の上部開口部を塞いでいる。
【００２６】
詳細には可動蓋２１は、円弧状に形成された上記周縁部１０ｂに沿って滑らかに湾曲形成され、固定蓋２０の外面側に重なる湾曲板２５と、この湾曲板２５の上端縁に接続されると共に下方に向けて延在してヒンジ部２３に接続された操作板２６と、を備えている。
【００２７】
湾曲板２５は、下端部が一方の短辺周壁部１０Ｂと固定蓋２０との間に画成された隙間Ｈに差し込まれていると共に、上端部が一対の長辺周壁部１０Ａの頂点部１０ａを越えてさらに上方に位置している。
操作板２６は、ヒンジ部２３を中心として可動蓋２１を容器内側に向かう一方向Ｔ１（図１参照）側に回動操作する際の操作部材とされている。
【００２８】
なお、操作板２６と湾曲板２５とは、左右方向Ｌ２に向かい合う側面視扇型の補強板２７を介してさらに連結されて剛性強化が図られている。この補強板２７は、一対の長辺周壁部１０Ａの内面に摺接しており、直線状に形成された上記周縁部１０ｃと操作板２６との間に開いた隙間を塞ぐ役割も担っている。
【００２９】
ところで、湾曲板２５には内容物Ｍを取り出すための第２取出口２８が形成されている。この第２取出口２８は、例えば側面視四角状に形成された開口であるが、内容物Ｍが通過可能であれば円形状でも楕円形状でも多角形状であっても構わない。
また、第２取出口２８は、固定蓋２０に形成された第１取出口２２よりも上方に位置しており、可動蓋２１がヒンジ部２３を中心として一方向Ｔ１側に回動させられたときに第１取出口２２に連通するようになっている（図５参照）。
【００３０】
また、固定蓋２０と可動蓋２１との間には、ヒンジ部２３を中心として可動蓋２１を容器外側に向かう他方向Ｔ２側に回動するように付勢して、第１取出口２２と第２取出口２８との連通を遮断する板ばね（弾性部材）３０が設けられている。
この板ばね３０は、左右方向Ｌ２に沿った横幅が一対の長辺周壁部１０Ａから間隔を開けて配置されるサイズとされ、基端部３０ａが固定蓋２０の上端縁に接続されると共に先端部３０ｂが可動蓋２１の操作板２６の内面に接する自由端とされた片持ち状の板ばねとされている。
【００３１】
詳細にはこの板ばね３０は、基端部３０ａと先端部３０ｂとの間の中間部が下方に向けて膨らむように湾曲した形状、即ち、基端部３０ａと、該基端部３０ａに連設されると共に下方に向けて湾曲した湾曲部３０ｃと、該湾曲部３０ｃに連設されると共に斜め上方に向けて傾斜した傾斜部３０ｄと、該傾斜部３０ｄの先端から斜め上方に向けて傾斜するように連設された先端部３０ｂと、で構成されている。
【００３２】
板ばね３０の先端部３０ｂは、図１に示すように、可動蓋２１の湾曲板２５と操作板２６との接続部分３１よりも下方側に位置しており、この位置で操作板２６の内面に摺接している。そして、この板ばね３０の先端部３０ｂは、第１取出口２２と第２取出口２８とが連通されるまでの間において、可動蓋２１が一方向Ｔ１側に一定量回動させられるまでは操作板２６の内面上をスライド移動し、一定量回動させられたときに接続部分３１に係止されることでそのスライド移動が規制されるようになっている。
つまり、可動蓋２１の湾曲板２５と操作板２６との接続部分３１は、板ばね３０の先端部３０ｂの摺接を規制する規制部として機能している。
【００３３】
また、可動蓋２１の湾曲板２５の下端縁には、容器外側に向けて爪部（係合部）３５が突設されており、一方の短辺周壁部１０Ｂから容器内側に向けて突設された爪部（被係合部）３６に下側から係合している。
従って、板ばね３０によって他方向Ｔ２側に可動蓋２１が回動されたとしても、該可動蓋２１は両爪部３５、３６の係合によってそれ以上の回動が規制されている。つまり、これら両爪部３５、３６は、第１取出口２２と第２取出口２８との連通が遮断されたときに、可動蓋２１の回動を規制するストッパ部材として機能する。
【００３４】
次に、内容物Ｍが収容された容器本体２から、内容物Ｍを取り出す場合について説明する。
この場合には、可動蓋２１の操作板２６を押圧して、ヒンジ部２３を中心として該可動蓋２１を一方向Ｔ１側に回動させる。すると、図５に示すように、可動蓋２１の湾曲板２５が固定蓋２０に対して摺動しながら下方に移動して、下端部が容器本体２内にさらに入り込み、第２取出口２８が固定蓋２０の第１取出口２２に連通する。
これにより、両取出口２２、２８を通じて容器本体２内に収容されている内容物Ｍを粒状物用容器１外に取り出すことができる。
【００３５】
ところで、内容物Ｍの取り出しを行うにあたって可動蓋２１を一方向Ｔ１側に回動させると、板ばね３０が固定蓋２０と可動蓋２１との間で圧縮するように弾性変形するので、可動蓋２１を他方向Ｔ２側に付勢しはじめる。そのため、内容物Ｍの取り出しが終了した後、操作板２６から例えば指先を離して可動蓋２１をフリーな状態にすると、板ばね３０が先端部３０ｂを介して可動蓋２１を他方向Ｔ２側に押圧するので、可動蓋２１は速やかに回動させられる。  
これにより、可動蓋２１の湾曲板２５は固定蓋２０に重なりながら自然に回動して元の状態に戻り、図１に示すように第１取出口２２と第２取出口２８との連通が遮断される。
【００３６】
従って、可動蓋２１を手動で元の位置に戻す操作をなくしたり、或いは、手動による復元操作を軽減したりすることができる。よって、可動蓋２１を一方向Ｔ１側に回動させるだけの簡単な操作で、内容物Ｍの取り出し作業を行うことができる。
【００３７】
特に、内容物Ｍの取り出しにあたって可動蓋２１を一方向Ｔ１側に回動させはじめると、板ばね３０の先端部３０ｂが可動蓋２１の回動に伴って該可動蓋２１の内面上をスライド移動するので、板ばね３０が容易に弾性変形し易くなる。特に、本実施形態の板ばね３０においては、湾曲部３０ｃと傾斜部３０ｄとの連設部分や、傾斜部３０ｄと先端部３０ｂとの連設部分等を基点として弾性変形し易くなる。そのため、回動操作初期段階において、軽い力で且つ滑らかに可動蓋２１を回動させることができ、可動蓋２１の回動操作性を向上することができる。
そして、可動蓋２１を一定量回動させると、図５に示すように、可動蓋２１の湾曲板２５と操作板２６との接続部分３１に板ばね３０の先端部３０ｂが係止されて摺接によるスライド移動が規制されるので、これ以降、板ばね３０の弾性変形量を大きくすることができ、板ばね３０を効率良く弾性変形させることができる。
【００３８】
また、内容物Ｍの取り出しを行った後に可動蓋２１をフリーな状態にすると、該可動蓋２１は板ばね３０からの付勢力を受けて他方向Ｔ２側に回動するが、図１に示すように、可動蓋２１の爪部３５と容器本体部１０の爪部３６との係合によって可動蓋２１の回動を規制できるので、第１取出口２２と第２取出口２８との連通が遮断された時点で、固定蓋２０に対して可動蓋２１を確実に停止させて位置決めさせることができる。
従って、可動蓋２１が他方向Ｔ２側に初期位置を越えるほど過度に回動して、容器本体２の上部開口部が開放されてしまうことを防ぐことができ、作動の信頼性を高めることができる。また、板ばね３０の弾性特性に影響されることなく、固定蓋２０に対する可動蓋２１の初期位置を位置決めできるので、板ばね３０の選択性を広げることができ設計の自由度を高めることができる。
【００３９】
しかも、可動蓋２１に形成された爪部３５に係合する容器本体部１０の爪部３６が、板ばね３０に形成されていないので、板ばね３０が大きく弾性変形したとしても、爪部３５
と爪部３６との係合が損なわれることがない。そのため、爪部３５を確実に容器本体部１０の爪部３６に係合させることができ、可動蓋２１の回動規制の信頼性を高めることができる。加えて、回動規制を気にすることなく板ばね３０を選択できるので、上記設計の自由度の効果を顕著に奏効し易い。
【００４０】
なお、本実施形態の粒状物用容器１において内容物Ｍを充填する場合には、図２及び図３に示すように、ヒンジ部１３を中心として底蓋１１を回動させることで容器本体２の下部開口部を開放できるので、この下部開口部を通じて充填作業を行っても構わない。或いは、ヒンジ部２３を中心として可動蓋２１を他方向Ｔ２側に大きく回動させて、湾曲板２５を固定蓋２０から離間させ、開放された容器本体２の上部開口部を通じて充填作業を行っても構わない。
【００４１】
上述したように、本実施形態の粒状物用容器１によれば、可動蓋２１を押圧して一方向Ｔ１側に回動させるだけの簡単な操作で内容物Ｍを取り出せるので、非常に使い易い容器とすることができる。
しかも、容器本体２の上部開口部を覆っている可動蓋２１を回動させる構成であるので、不要な操作ボタン等を設ける必要がなく余計な出っ張り等を極力なくしたシンプルな形状に設計し易い。よって、外観デザイン性に優れた粒状物用容器１とすることが可能である。
【００４２】
更に、上記実施形態のように、板ばね３０と固定蓋２０とを一体的に構成した場合には、例えば粒状物用容器１の組み立てを行う際、少なくとも固定蓋２０に対して板ばね３０を組み付ける必要がなく、効率の良い組み立て作業を行うことができる。また、固定蓋２０と板ばね３０との間に組立誤差や不必要な遊び等が生じ難いので、板ばね３０の作動の信頼性を高め、容器全体の品質を高めることができる。更に、板ばね３０の先端部３０ｂが可動蓋２１に対して単に接しているだけであるので、可動蓋２１を固定蓋２０及び板ばね３０に対して容易に組み付け易い。
【００４３】
なお、本発明の技術範囲は、上記実施形態に限定されるものではなく、本発明の趣旨を逸脱しない範囲において、種々の変更を加えることが可能である。
【００４４】
例えば、上記実施形態では、可動蓋２１を一方向Ｔ１側に回動させることで、第１取出口２２と第２取出口２８とを連通させたが、これとは逆に、他方向Ｔ２側に回動させることで両取出口２２、２８が連通するように構成しても構わない。
この場合には、第１取出口２２及び第２取出口２８の形成位置をそれぞれ調整すると共に、板ばね３０の付勢方向を逆向きにさせれば良い。
【００４５】
また、上記実施形態では、固定蓋２０の外側に重なるように可動蓋２１を構成したが、固定蓋２０の内側に重なるように可動蓋２１を構成しても構わない。
また、湾曲板２５の爪部３５を容器内側に突出するように形成し、この爪部３５に、固定蓋２０に容器外側に向けて突出するように形成された爪部や、固定蓋２０の下端縁を係合しても構わない。この場合であっても、可動蓋２１の回動を規制するストッパ部材として機能させることが可能であり、同様の作用効果を奏効することができる。
【００４６】
更に、上記実施形態では、容器本体部１０の上部開口部に固定蓋２０を固定したが、該固定蓋２０は必須なものではなく具備しなくても構わない。この場合には、可動蓋２１の第２取出口２８を補強板２７に形成し、容器本体部１０の長辺周壁部１０Ａに、可動蓋２１を一方向Ｔ１側に回動させた時に第２取出口２８に連通するように第１取出口２２を形成すれば良い。この場合であっても、同様の作用効果を奏効することができる。
但し、固定蓋２０を具備する上記実施形態の場合であっても、長辺周壁部１０Ａに第１取出口２２を形成し、補強板２７に第２取出口２８を形成しても構わない。
【符号の説明】
【００４７】
Ｔ１…一方向
Ｔ２…他方向
Ｍ…内容物
１…粒状物用容器
２…容器本体
２１…可動蓋
２２…第１取出口
２３…ヒンジ部
２８…第２取出口
３０…板ばね（弾性部材）
３５…爪部（係合部）
３６…爪部（被係合部）
【図１】
0005568402.tif 000002
【図２】
0005568402.tif 000003
【図３】
0005568402.tif 000004
【図４】
0005568402.tif 000005
【図５】
0005568402.tif 000006